(57)【要約】【課題】中央制御室の躯体工事と、各種サポートやダクトなどの設置工事等の機電工事との輻輳を解消し、効率的に工事を行って工期の短縮を図る。【解決手段】中央制御室６４の天井部の構築位置に、予め製作したユニット７０を据え付ける。ユニット７０は、鉄骨主構７２と、鉄骨主構７２の間に配設された梁部材７４と、ブレース７６と、下地鉄骨部材７８とからなる鉄骨架構８０の他に、各種サポート８２やダクト８４、デッキプレート８６を備えている。このユニット７０を据え付けて中央制御室６４を構築することで、中央制御室６４の躯体工事と、各種サポートやダクト等の機電工事との輻輳を解消して、作業を効率的に行い、工期の短縮を図る。【選択図】      図３
2004191080.tif 000002
【特許請求の範囲】
【請求項１】
原子炉施設の制御建屋に設けられる中央制御室を構築する工法であって、
前記中央制御室の上部床を支持する骨組みを組立て、当該骨組みに前記中央制御室の天井部に配設される付設器具を取り付けてユニットを製作し、このユニットを前記中央制御室の上部床の構築予定位置の下側に設置して前記中央制御室を構築することを特徴とする原子炉施設の中央制御室の構築工法。
【請求項２】
前記骨組みが鉄骨架構により構成されていることを特徴とする請求項１に記載の原子炉施設の中央制御室の構築工法。
【請求項３】
前記ユニットには、前記中央制御室の上部床を構成するデッキプレートが設けられていることを特徴とする請求項１または２に記載の原子炉施設の中央制御室の構築工法。
【請求項４】
前記ユニットには、前記中央制御室の天井部に配設されるダクトが設けられていることを特徴とする請求項１〜３のいずれか１項に記載の原子炉施設の中央制御室の構築工法。
【請求項５】
前記ユニットには、前記付設器具として、前記中央制御室の天井部に配設される天井材や照明器具等の機器を支持するためのサポートが設けられていることを特徴とする請求項１〜４のいずれか１項に記載の原子炉施設の中央制御室の構築工法。
【請求項６】
前記ユニットをクレーンにより吊り上げて前記構築予定位置に据え付けることを特徴とする請求項１〜５のいずれか１項に記載の原子炉施設の中央制御室の構築工法。
【発明の詳細な説明】
【０００１】
【発明の属する技術分野】
本発明は、原子炉施設の制御建屋に設けられる中央制御室の構築工法に関する。
【０００２】
【従来の技術】
原子力発電所等の原子炉施設には、原子炉建屋やタービン建屋の他に、制御建屋が設けられている。この制御建屋は、原子炉の運転等を制御する設備などを収容する建物であり、その内部には、各種機器・電気系統の制御盤が集中して設置される中央制御室が設けられている。
【０００３】
この中央制御室は、原子炉施設全体の中でも非常に重要な設備の１つであり、その建設工事が終了しない限り、原子炉施設全体の試運転等を行うことができない。そこで、中央制御室の建設工事を早期に終了させるために、中央制御室の躯体の構築工事と並行として、各種サポートやダクト、照明機器などの取付をはじめとする機電工事が行われている。
【０００４】
この中央制御室の従来の構築工法について説明する。図１３〜図１９は、中央制御室の従来の構築工法の一例を説明するものである。中央制御室を構築する場合には、まず、図１３に示すように、中央制御室の構築位置にコンクリートを打設して中央制御室の床部２を構築する。そして、構築した床部２の上に作業用足場４を設置し、この作業用足場４を利用して、中央制御室の壁部を構成する壁鉄筋６と、この壁鉄筋６を保持するための鉄筋架台８とをそれぞれ配設する。さらに、これら壁鉄筋６と鉄筋架台８とを取り囲むようにその周りにコンクリート型枠１０を配置する。その後、コンクリート型枠１０内にコンクリートを打設して、その打設したコンクリートが十分に硬化した後、コンクリート型枠１０を解体して、１段目の壁部とする。
【０００５】
次に、図１４に示すように、構築した壁部１２の間の床部２上に、中央制御室の上部床、即ち天井部を構築するための棚足場１４を構築する。
次に、図１５に示すように、棚足場１４の上方に、中央制御室の上部床を支持する鉄骨架構２４を構築する。鉄骨架構２４は、鉄骨主構１６を大梁として１本１本相互に間隔をあけて順次配設するとともに、各鉄骨主構１６の相互間に、小梁として梁部材１８や、ブレース２０、下地鉄骨部材２２を配設して組み立てる。鉄骨主構１６は、３分割されたものを現地で地組して製作してクレーンにより吊り込む。
【０００６】
そして、図１６に示すように、鉄骨架構２４の構築後、別途、作業用足場（図示外）を構築し、当該作業用足場を利用して、鉄骨架構２４の本締め作業を行うとともに、当該鉄骨架構２４に取り付けられる各種サポート２６やダクト２８などを先入れして棚足場１４上に仮置きする。そして、図１７に示すように、鉄骨架構２４の各梁部材１８の上方に、中央制御室の天井部を構成するデッキプレート３０を敷設する。
【０００７】
その後、図１８に示すように、１段目の壁部１２の上部に２段目の壁部を構築すべく、当該上部より突出した壁鉄筋６および鉄筋架台８を取り囲むようにその周りにコンクリート型枠１０を配置する。また、鉄骨架構２４のデッキプレート３０の上方には、中央制御室の上部床を構築するための床鉄筋３２とコンクリート型枠３４とを配設し、各コンクリート型枠１０、３４内にコンクリートを打設する。コンクリート硬化後、コンクリート型枠１０、３４を解体して、１段目の壁部１２の上方に２段目の壁部を構築するとともに、その２段目の壁部間に中央制御室の上部床を構築する。また、鉄骨架構２４には、同図に示すように、先行して各サポート２６をそれぞれ所定の位置に取り付ける。
【０００８】
そして、図１９に示すように、２段目の壁部３６および中央制御室４０の上部床３８が構築されることで、中央制御室４０の躯体の構築工事が終了する。その後、同図に示すように、鉄骨架構２４の鉄骨主構１６などに錆止め処理を施したり、鉄骨架構２４の下部のサポート２６などには、光天井部４１を構築するための光天井下地材４２や光天井ルーバー４４、天井ボード４５等の各種ボード類、各種機器の取付けを行うとともに、塗装などを施して仕上げを行う。また、中央制御室４０の壁面や床面には、塗装またはタイル等の仕上材４６を施す。その後、中央制御室４０内に制御盤等の各種機器４８を搬入して各々所定位置に設置する。
【０００９】
【特許文献１】
特許第３２８３７３５号公報（第１−５頁、第３−７図）
【００１０】
【特許文献２】
特許第２８７３１３９号公報（第１−６頁、第１−６図）
【００１１】
【特許文献３】
特開昭６１−５３９６３号公報（第１−２頁、第１−４図）
【００１２】
【特許文献４】
特開昭６１−２７０４３７号公報（第１−２頁、第１−４図）
【００１３】
【発明が解決しようとする課題】
このような構築工法にあっては、次のような問題があった。すなわち、中央制御室４０の上部床３８を支持する鉄骨架構２４の構築時には、当該鉄骨架構２４を構成する鉄骨主構１６を１本１本クレーンで吊り込んで設置しなければならず、手間と時間を要した。また、鉄骨主構１６の設置後、当該鉄骨主構１６の相互間に、梁部材１８やブレース２０、下地鉄骨部材２２などを個別に配設しなければならず、さらに手間と時間を要した。また、鉄骨架構２４の構築と並行に、各種サポート２６やダクト２８などの先入れ作業をしなければならず、狭隘部での作業となり、作業効率が悪く、工期の長期化を招いていた。
【００１４】
また、鉄骨架構２４への各種サポート２６の取付時には、中央制御室４０の躯体構築工事、即ち、壁鉄筋６や鉄筋架台８の周囲へのコンクリート型枠１０の配置工事や鉄骨架構２４の上方への床鉄筋３２及びコンクリート型枠３４の配設工事、構築した鉄骨架構２４への錆止め工事などの建築側の工事と並行に行われているため、建築側の工事による影響、例えば騒音やゴミの問題、錆止め工事時における待避などの余計な配慮が必要となった。また、狭隘部での作業となるため、作業効率が悪く、工期の長期化を招いていた。
【００１５】
また、ダクト２８の先入れ時には、ダクト２８の仮置場所も限られるとともに、ダクト２８やそのサポートの取付に伴いダクト２８の移動が多くなるとともに、狭隘部での作業となるため、作業効率が悪く、工期の長期化を招いていた。
【００１６】
このように中央制御室４０の構築工事が複雑で入り組むのは、中央制御室４０自体が大スパンを有する大空間部からなり、その上部床３８を支持するために大規模な鉄骨架構２４を設けなければならず、その鉄骨架構２４の構築工事が大掛かりなものとなるとともに、その大掛かりな工事に併せて機電工事も並行して行うからである。つまり、大掛かりな上部床３８の鉄骨架構２４の構築工事と、各種サポート２６やダクト２８の設置等の機電工事とが輻輳し、これによって、作業工程の複雑化や作業効率の低下が生じ、工期の長期化を招いていたのである。
【００１７】
一方、中央制御室４０の関連工事は、その工事が終了しない限り原子炉設備全体の試運転等が行えないことから、原子炉設備全体の建設工事内でクリティカルとなっており、厳しい工程を遵守しなければならなかった。すなわち、中央制御室４０の工事の遅れは、原子炉設備全体の建設工事に対して大きな影響を及ぼすため、回避しなければならないのである。
【００１８】
本発明は、このような事情に鑑みてなされたものであって、その目的は、中央制御室の躯体工事と、各種サポートやダクトなどの設置等の機電工事とが輻輳せずに効率的に工事を行え、工期の短縮が図れる原子炉施設の中央制御室の構築工法を提供することにある。
【００１９】
【課題を解決するための手段】
このような目的を達成するために本発明に係る原子炉施設の中央制御室の構築工法にあっては、原子炉施設の制御建屋に設けられる中央制御室を構築する工法であって、前記中央制御室の上部床を支持する骨組みを組立て、当該骨組みに前記中央制御室の天井部に配設される付設器具を取り付けてユニットを製作し、このユニットを前記中央制御室の上部床の構築予定位置の下側に設置して前記中央制御室を構築することを特徴とする。
【００２０】
このような構築工法にあっては、中央制御室の上部床を支持する骨組みを予め組み立て、この骨組みに前記中央制御室の天井部に配設される付設器具を取り付けてユニット化するから、大掛かりな上部床の骨組みの構築工事であっても、付設器具の設置等の機電工事との輻輳を解消することができ、これにより効率的に作業を行うことができ、工期の短縮を達成することができる。
【００２１】
かかる原子炉施設の中央制御室の構築工法にあっては、前記骨組みが鉄骨架構により構成されていても良い。このように骨組みが鉄骨架構により構成されれば、中央制御室の上部床を相当な強度で支持することができる。
【００２２】
また、かかる原子炉施設の中央制御室の構築工法にあっては、前記ユニットには、前記中央制御室の上部床を構成するデッキプレートが設けられていても良い。このようにユニットにデッキプレートが設けられていれば、現場でのデッキプレートの設置作業を省略することができる。
【００２３】
また、かかる原子炉施設の中央制御室の構築工法にあっては、前記ユニットには、前記中央制御室の天井部に配設されるダクトが設けられていても良い。このようにユニットにダクトが設けられていれば、ダクトの先入れ作業や現場での取付作業を省略することができる。
【００２４】
また、かかる原子炉施設の中央制御室の構築工法にあっては、前記ユニットには、前記付設器具として、前記中央制御室の天井部に配設される天井材や照明器具等を支持するサポートが設けられていても良い。このようにユニットに天井材や照明器具等を支持するサポートが設けられていることで、サポートの先入れ作業や現場での取付作業を省略することができる。
【００２５】
また、かかる原子炉施設の中央制御室の構築工法にあっては、前記ユニットをクレーンにより吊り上げて前記構築予定位置に据え付けるようにしても良い。このようにユニットの据付にクレーンを用いることで、簡単に据付作業を済ませることができる。
【００２６】
【発明の実施の形態】
以下に本発明に係る原子炉施設の中央制御室の構築工法の実施の形態について説明する。なお、ここでは、図１１〜図１７に示す前記従来例と同一の構成要素には、同一の符号を付して示す。
【００２７】
図１は、本実施形態における原子炉施設を示した平面図である。この原子炉施設５０は、加圧水型原子力発電プラントであり、原子炉建屋５２とタービン建屋５４とを備えている。原子炉建屋５２には、原子炉格納容器５６をはじめ、原子炉格納容器５６に関連する各種設備が設けられている。また、タービン建屋５４には、タービン発電装置をはじめ、タービン発電装置に関連する各種機器や設備を備えている。さらに、原子炉施設５０は、原子炉の運転等を制御する設備などを収容する制御建屋６０を備えている。
【００２８】
図２は、この制御建屋６０の一実施形態の内部構造を示した縦断面図である。制御建屋６０は、例えば鉄筋コンクリート構造などにより構築された建物６２からなり、その２Ｆ部分の中央部には、例えば、幅約４０ｍ×長さ約２０ｍ×高さ約７ｍほどの空間部として画成された中央制御室６４が設けられている。この中央制御室６４は、各種機器・電気系統の制御盤が集中して設置される部屋であり、同図に示すように大スパンを有することから、その上部床３８には当該上部床３８を支持するための鉄骨架構６６が設けられている。
【００２９】
このような制御建屋６０の中央制御室６４の構築工法の一実施形態について説明する。なお、本実施形態では、中央制御室６４の床部２の構築から１段目の壁部１２までの構築は、従来の図１１〜図１２の手順と同様の手順で行われる。図３〜図１０は、１段目の壁部１２より上方の部分の構築手順を示す。
【００３０】
ここでは、図３に示すように、棚足場１４の上方に、中央制御室の天井部を構築するためのユニット７０を設置する。このユニット７０は、予め製作したもので、中央制御室６４の上部床を支持するために、大梁として配設された鉄骨主構７２と、鉄骨主構７２の間に配設された梁部材７４やブレース７６、下地鉄骨部材７８とにより構成された鉄骨架構８０を備えている。この他に、当該ユニット７０には、ダクト８４やデッキプレート８６、それに中央制御室６４の天井部に配設される天井材や照明器具等の機器を支持するための各種サポート８２が設けられている。各種サポート８２やダクト８４は、鉄骨架構８０に対して各々所定の位置に取り付けられている。また、デッキプレート８６は、鉄骨架構８０の上面部に配設されている。
【００３１】
このようなユニット７０の上方には、ワイヤー９０を介して吊具９２が接続され、ユニット７０は、当該吊具９２を介してクレーン等により吊下げられて移送され、所定位置、即ち中央制御室６４の上部床構築位置に設置される。
【００３２】
図４および図５は、このユニット７０を示した斜視図である。図４は、ユニット７０全体を示したものであり、図５は、ユニット７０の一部を拡大して示したものである。このユニット７０は、図４に示すように、Ｉ型鋼からなる複数本の鉄骨主構７２を相互に間隔をあけて平行に並設するとともに、これら鉄骨主構７２の各相互間に、梁部材７４と、下地鉄骨部材７６と、ブレース７８とを配設して鉄骨架構８０として組み立てられている。梁部材７４は、図５に示すように、鉄骨主構７２の上縁部間を結んで、鉄骨主構７２の長さ方向に沿って相互に間隔をあけて設けられている。また、下地鉄骨部材７６は、梁部材７４とは対照的に、同図に示すように、鉄骨主構７２の下縁部間を結んで、鉄骨主構７２の長さ方向に沿って相互に間隔をあけて設けられている。また、ブレース７８は、同図に示すように、各梁部材７４の中央部から左右両側の鉄骨主構７２の側面部にかけて斜めに配設されている。このようにして構成された鉄骨架構８０の下部には、同図に示すように、ダクト８４をはじめ、この他に各種サポートなどの付設器具（図示外）が取り付けられている。このようにユニット７０は、１つの大きなブロックとして構築されている。
【００３３】
図６は、このユニット７０の製作方法を説明するものである。図６（ａ）は、ユニット７０の製作現場を上方から見たときの図であり、図６（ｂ）は、ユニット７０の製作状況を横から見たときの図である。ユニット７０を製作する場合には、まず、図６（ａ）に示すように、ユニット７０の製作場所、即ち地組場１００に仮設架台１０２を設置する。地組場１００には、図６（ｂ）に示すように、地組場１００にコンクリートを打設して基礎部１０４が設けられており、仮設架台１０２は、この基礎部１０４上に設置される。ここでは、４本の仮設架台１０２を相互に間隔をあけて平行に設けている。
【００３４】
こうして設置した仮設架台１０２の上に、図６（ｂ）に示すように、仮設架台１０２の間を掛け渡して鉄骨主構７２を順次設置する。鉄骨主構７２は、図６（ａ）に示すように、仮設架台１０２の長さ方向に沿って相互に間隔をあけて平行に配置する。こうして配置した鉄骨主構７２の相互間に、梁部材７４や下地鉄骨部材７６、ブレース７８を介して鉄骨架構８０を構築する。その後、各鉄骨主構７２などに対して錆止めを目的に塗装などを施す。また、仮設架台１０２により形成された鉄骨主構７２と基礎部１０４との間の隙間を利用して、鉄骨架構８０の下部に、図５に示すように、ダクト８４をはじめ、中央制御室６４の天井部に配設される天井材や照明器具等の機器を支持するための各種サポート８２などの付設器具を取り付ける。また、鉄骨架構８０の上部には、デッキプレート８６を配設する。その後、製作したユニット７０をクレーンにより吊り上げて中央制御室６４の構築位置まで移送する。
【００３５】
図７は、ユニット７０の地組場１００と、実際の中央制御室６４の構築位置１１０との関係を示した平面図である。ユニット７０が製作される地組場１００は、中央制御室６４の構築位置１１０の近くに設定される。地組場１００で製作したユニット７０は、クレーン１１２により中央制御室６４の構築位置１１０に移送される。クレーン１１２は、地組場１００と中央制御室６４の構築位置１１０との間の適宜なポイントに設置される。中央制御室６４の構築位置１１０付近に移送されたユニット７０は、現在構築が進められている中央制御室６４の躯体の上部に設置される。
【００３６】
図８は、ユニット７０が設置されたときの様子を示す。同図に示すように、ユニット７０は、中央制御室６４の壁部との取り合い部分Ａについて接続作業が行われる。図９は、その取り合い部分Ａを詳しく示したものである。同図に示すように、ユニット７０を支持するために、中央制御室６４の壁部内に埋め込まれて設置された支持柱８８に、ユニット７０の各鉄骨主構７２がそれぞれ接合される。各支持柱８８は、鉄骨材により形成されており、ユニット７０の各鉄骨主構７２に夫々対応して設けられている。各支持柱８８の上端部には、その側方に梁部８８ａが突出して設けられて、この梁部８８ａに各鉄骨主構７２の端部が接続プレート８９を介して接合される。
【００３７】
その後、図１０に示すように、従来と同様、１段目の壁部１２の上部に２段目の壁部を構築すべく、当該上部より突出した壁鉄筋６および鉄筋架台８を取り囲むようにその周りにコンクリート型枠１０を配置する。また、ユニット７０の上部のデッキプレート３０の上には、中央制御室６４の上部床を構築するための床鉄筋３２とコンクリート型枠３４とを配設する。次に、各コンクリート型枠１０、３４内にコンクリートを打設して、コンクリート硬化後、コンクリート型枠１０、３４を解体することで、１段目の壁部１２の上方に２段目の壁部を構築する。また、その２段目の壁部間に中央制御室６４の上部床を構築する。
【００３８】
そして、図１１に示すように、２段目の壁部３６と、中央制御室６４の上部床３８の構築終了後、鉄骨架構８０の下部のサポート８２などには、光天井部４１を構築するための光天井下地材４２や光天井ルーバー４４、天井ボード４５等の各種ボード類、各種機器の取付けを行うとともに、塗装などを施して仕上げを行う。また、中央制御室６４の壁面や床面には、塗装またはタイル等の仕上材４６を施す。その後、中央制御室６４内に制御盤等の各種機器４８を搬入して各々所定位置に設置する。
【００３９】
図１２は、ここで構築される光天井部４１の様子を詳細に示したものである。光天井部は、同図に示すように、鉄骨主構７２に取付具８３を介して取り付けられたサポート８２に、光天井下地材４２ａ、４２ｂや天井ボード４５ａ、４５ｂが設けられる。さらに天井ボード４５ａには、照明器具８７が設けられるとともに、この照明器具８７を下側から覆うように取付具８５を介して光天井ルーバー４４が設けられる。
【００４０】
以上この構築工法によれば、制御建屋６０の中央制御室６４の上部床３８を支持する鉄骨架構８０を組立てて、当該鉄骨架構８０に中央制御室６４の天井部に配設される天井材や照明器具等の機器を支持するためのサポート８２やダクト８４などの付設器具を取り付けて予めユニットとして製作するから、大掛かりな鉄骨架構８０の構築工事であっても、付設器具の設置等の機電工事との輻輳を解消することができ、これにより効率的に作業を行うことができ、工期の短縮を達成することができる。
【００４１】
そして、このように中央制御室６４の工期が短縮されることで、中央制御室６４を構築した後に実施する諸試験等の各種作業、例えば、受電、フラッシング、水圧試験（ＣＨＴ）、温態機能試験（ＨＦＴ）、原子炉格納容器耐圧漏洩率試験（ＬＲＴ）、燃料装荷（Ｃ／Ｌ）、起動試験（加熱試験、出力上昇・負荷試験）などについては、早期に実施することができ、プラントの稼働開始時期を早めることが可能である。
【００４２】
【発明の効果】
本発明によれば、中央制御室の上部床を支持する骨組みを予め組み立て、この骨組みに中央制御室の天井部に配設される付設器具を取り付けてユニット化するから、大掛かりな上部床の骨組みの構築工事であっても、付設器具の設置等の機電工事との輻輳を解消することができ、これにより効率的に作業を行うことができ、工期の短縮を達成することができる。
【図面の簡単な説明】
【図１】原子炉施設の一例を示した縦断面図である。
【図２】本発明における原子炉施設の制御建屋とこれに設けられる中央制御室の一実施形態を示した縦断面図である。
【図３】本実施形態に係る原子炉施設の中央制御室の構築手順を説明する説明図である。
【図４】本実施形態におけるユニットを示した斜視図である。
【図５】本実施形態におけるユニットの主要部を詳細に示した斜視図である。
【図６】本実施形態におけるユニットの製作方法の一例を説明する説明図である。
【図７】本実施形態におけるユニットの製作場所と、中央制御室の構築予定位置との関係を示した平面図である。
【図８】本実施形態に係る原子炉施設の中央制御室の構築手順を説明する説明図である。
【図９】本実施形態におけるユニットの支持構造の一例を示した説明図である。
【図１０】
本実施形態に係る原子炉施設の中央制御室の構築手順を説明する説明図である。
【図１１】本実施形態に係る原子炉施設の中央制御室の構築手順を説明する説明図である。
【図１２】本実施形態における中央制御室の光天井部の様子を部分的に詳しく示した説明図である。
【図１３】従来の原子炉施設の中央制御室の構築手順の一例を説明する説明図である。
【図１４】従来の原子炉施設の中央制御室の構築手順の一例を説明する説明図である。
【図１５】従来の原子炉施設の中央制御室の構築手順の一例を説明する説明図である。
【図１６】従来の原子炉施設の中央制御室の構築手順の一例を説明する説明図である。
【図１７】従来の原子炉施設の中央制御室の構築手順の一例を説明する説明図である。
【図１８】従来の原子炉施設の中央制御室の構築手順の一例を説明する説明図である。
【図１９】従来の原子炉施設の中央制御室の構築手順の一例を説明する説明図である。
【符号の説明】
２    床部              ６    壁鉄筋              ８    鉄筋架台
１２  壁部              ３２  床鉄筋              ３８  上部床
４２  天井下地材        ４８  機器                ５０  原子炉施設
５２  原子炉建屋        ５６  原子炉格納容器      ６０  制御建屋
６４  中央制御室        ７０  ユニット            ７２  鉄骨主構
７４  梁部材            ７６  下地鉄骨部材        ７８  ブレース
８０  鉄骨架構          ８２  サポート            ８４  ダクト
８６  デッキプレート    ９０  ワイヤー            ９２  吊具
１００  地組場          １１０  構築位置          １１２  クレーン
【図１】
2004191080.tif 000003
【図２】
2004191080.tif 000004
【図３】
2004191080.tif 000005
【図４】
2004191080.tif 000006
【図５】
2004191080.tif 000007
【図６】
2004191080.tif 000008
【図７】
2004191080.tif 000009
【図８】
2004191080.tif 000010
【図９】
2004191080.tif 000011
【図１０】
2004191080.tif 000012
【図１１】
2004191080.tif 000013
【図１２】
2004191080.tif 000014
【図１３】
2004191080.tif 000015
【図１４】
2004191080.tif 000016
【図１５】
2004191080.tif 000017
【図１６】
2004191080.tif 000018
【図１７】
2004191080.tif 000019
【図１８】
2004191080.tif 000020
【図１９】
2004191080.tif 000021